(57)【要約】【課題】            従来、止着ピン材として、対象物内に沈埋させ、一定時間の経過後に引き抜くことを目的とし、しかもその引き抜き時に対象物を損壊することなく、作業者の安全性も確保することができるものは存在していなかったという点である。【解決手段】        直線状をしたファイバー部の先端にそのファイバー部の軸芯方向と略直角方向に抜け止め用の横バー部を一体に備えた止着ピン材において、前記した横バー部は前記したファイバー部の軸芯を境として一方を長寸とし、他方を短寸に形成してあることとする。【選択図】          図１
2015169685.tif 000002
【特許請求の範囲】
【請求項１】
直線状をしたファイバー部の先端にそのファイバー部の軸芯方向と略直角方向に抜け止め用の横バー部を一体に備えた止着ピン材において、前記した横バー部は前記したファイバー部の軸芯を境として一方を長寸とし、他方を短寸に形成してあることを特徴とする止着ピン材。
【請求項２】
前記したファイバー部の後端にはパドル状部が一体に備えられていることを特徴とする請求項１に記載の止着ピン材。
【請求項３】
前記した止着ピン材は所定のピッチをもってランナー部材に切断部を介して形成されたアッセンブリとなっていることを特徴とする請求項１または２に記載の止着ピン材。
【請求項４】
前記した止着ピン材は可撓性を有するプラスチックで一体成形されていることを特徴とする請求項１または２に記載の止着ピン材。
【請求項５】
前記した横バー部の長寸部分の長さは短寸部分の二倍もしくは二倍よりも長く形成されていることを特徴とする請求項１に記載の止着ピン材。
【請求項６】
前記した横バー部の短寸部分の長さはその短寸部分の径の二倍もしくは二倍よりも短く形成されていることを特徴とする請求項１に記載の止着ピン材。
【請求項７】
前記したパドル状部は縦長の平板状で、その長さが横幅の二倍もしくは二倍以上で形成されていることを特徴とする請求項２に記載の止着ピン材。
【請求項８】
前記したパドル状部の上部寄りには引き抜き作業時の滑り止めとなる突出部が形成されていることを特徴とする請求項２または７に記載の止着ピン材。
【請求項９】
全体を透明、半透明あるいは彩色を施してあることを特徴とする請求項１から８のうち１項に記載の止着ピン材。
【発明の詳細な説明】
【技術分野】
【０００１】
本発明は止着ピン材に関し、対象物内に打ち込んで沈埋させ、一定時間の経過後に引き抜くことを前提とした止着ピン材に関する。
【背景技術】
【０００２】
従来、上記したような類の止着ピン材、例えば手術で摘出した患部を基台となるゴムパッドに止着して顕微鏡で観察したり、食肉ブロックに個体情報を入力したマイクロチップを有するタグを止着したりする際には、金属製のピン材が使用されているもので、この金属製のピン材は使用目的の終了後に引き抜くと、対象物を損傷してしまったり、作業者にとっても怪我をしてしまうリスクが伴っている。
【０００３】
また、衣類等に価格や品質を表示したタグを止着（吊持）させるためのピン材として、ファイバー材の一端に抜け止め用のＴ字状とされる横バー部を備え、他端にも抜け止め用のパドル状部を一体に有するものが知られているが、これは、横バー部が対象物を貫通し、空中に位置されるもので、引き抜くことは前提とされておらず、対象物から外すには切断除去することとなる。
【先行技術文献】
【特許文献】
【０００４】
本件出願人は、本願発明に関し、先行する技術文献を調査したが、格別に本願発明と関連し、類似していると思われる文献は発見できなかった。
【発明の概要】
【発明が解決しようとする課題】
【０００５】
本発明が解決しようとする問題点は、従来、止着ピン材として、対象物内に沈埋させ、一定時間の経過後に引き抜くことを目的とし、しかもその引き抜き時に対象物を損壊することなく、作業者の安全性も確保することができるものは存在していなかったという点である。
【課題を解決するための手段】
【０００６】
上記した問題点を解決するために、本発明に係る止着ピン材は、直線状をしたファイバー部の先端にそのファイバー部の軸芯方向と略直角方向に抜け止め用の横バー部を一体に備えた止着ピン材において、前記した横バー部は前記したファイバー部の軸芯を境として一方を長寸とし、他方を短寸に形成してあることを特徴としている。
【０００７】
また、本発明に係る止着ピン材は、前記したファイバー部の後端にはパドル状部が一体に備えられていることを特徴とし、前記した止着ピン材は所定のピッチをもってランナー部材に切断部を介して形成されたアッセンブリとなっていることを特徴とし、前記した止着ピン材は可撓性を有するプラスチックで一体成形されていることを特徴としている。
【０００８】
さらに、本発明に係る止着ピン材は、前記した横バー部の長寸部分の長さは短寸部分の二倍もしくは二倍よりも長く形成されていることを特徴とし、前記した横バー部の短寸部分の長さはその短寸部分の径の二倍もしくは二倍よりも短く形成されていることを特徴とし、前記したパドル状部は縦長の平板状で、その長さが横幅の二倍もしくは二倍以上で形成されていることを特徴とし、前記したパドル状部の上部寄りには引き抜き作業時の滑り止めとなる突出部が形成されていることを特徴とし、全体を透明、半透明あるいは彩色を施してあることを特徴としている。
【発明の効果】
【０００９】
本発明に係る止着ピン材は、上記のように構成されている。そのため、装着ツールのスリットを形成した中空ニードルを通ってピストンで対象物に打ち込まれた止着ピン材は横バー部の長寸部分が初期状態に復元することなく対象物内に、ファイバー材の軸芯方向に沿って留まり、その変形によって止着される。また、これを引き抜く際には、長寸部分が略直線状となっているので大きな抵抗もなく作業をすることができ、対象物を損壊させてしまう虞もなく、素材が可撓性を有するプラスチックのため、作業者が怪我をしてしまう虞もないものとなっている。
【図面の簡単な説明】
【００１０】
【図１】本発明を実施した止着ピン材を示す斜視図である。
【図２】側面図である。
【図３】正面図である。
【図４】ツールに装着前のアッセンブリ状態を示す斜視図である。
【図５】止着ピン材がツールから送り出される状態の斜視図である。
【図６】止着ピン材の使用状態の一例を示す斜視図である。
【図７】対象物内での沈埋固定状態を示す部分断面側面図である。
【発明を実施するための形態】
【００１１】
図面として示し、実施例で説明したように構成したことで実現した。
【実施例１】
【００１２】
次に、本発明の好ましい実施の一例を図面を参照して説明する。図中１は本発明を実施した止着ピン材を示しており、この止着ピン材１は全体を可撓性を有するプラスチックで成形されている。この止着ピン材１は略直線状としたファイバー部２を有しており、そのファイバー部２の先端に、ファイバー部２の軸芯方向と略直角方向に抜け止めを目的とした横バー部３が一体に備えられている。この横バー部３の形成方向は、後述する平板状としたパドル状部４の幅方向に沿うものとなっている。
【００１３】
また、横バー部３は、ファイバー部２の軸芯線を境として長寸部分３ａと短寸部分３ｂが直線上で対向して構成されている。横バー部３の径はファイバー部２の径と略同様となっており、長寸部分３ａの長さＡは短寸部分の長さＢの二倍もしくは二倍よりも長く形成され、短寸部分３ｂの長さＢはその径Ｃの二倍もしくは二倍よりも短く形成されたものとなっている。尚、ファイバー部２と横バー部３の連接個所にはファイバー部２に補強部分が形成されて横バー部３の連接個所における折損を防止している。
【００１４】
一方、前記したファイバー部２の後端にはパドル状部４が一体に備えられている。このパドル状部４は縦長の平板状のものとされ、その縦長さは横幅の二倍もしくは二倍以上とされている。このパドル状部４は後述する止着ピン材１を対象物から引き抜く際の把持部となるもので、その引き抜き作業が行ない易いよう中央部分近傍には横幅を狭くした括れ部４ａを形成し、指の掛かりを補助する。
【００１５】
このパドル状部４の基端にはコア部４ｂを備えた抑止部４ｃが形成されており、止着ピン材１が対象物に打ち込まれた際に、その対象物あるいは被止着物を抑え、ファイバー部２及び横バー部３の対象物内における位置保持もしくは被止着物の位置保持を安定させる。
【００１６】
さらに、このパドル状部４の上方寄りには円柱状に構成され、その両外側面が、パドル状部４の長手方向と直交して突出する突出部４ｄが設けられ、パドル状部４を把持して止着ピン材１を対象物から引き抜く際の滑り止めとされている。
【００１７】
そして、この止着ピン材１は対象物によって、あるいは使用目的によって透明、半透明あるいは適宜な彩色を施して目視による区別を行なうようにすることもできる。
【００１８】
この止着ピン材１はアッセンブリ状態として使用に供される。このアッセンブリ５は一本の直線状をしたランナーバー６に、所定の本数が所定のピッチをもって同一方向を向いて取り付けられている。この取り付けは、横バー部３の下方でファイバー部２の軸芯方向に沿って接続部７が、横バー部３との境に切断部８を介してなされている。
【００１９】
このアッセンブル５によって対象物に止着ピン材１を装着するには既知の装着ツール９が使用される。この装着ツール９は先端にスリット１０を長手方向に沿って形成したニードル１１が設けられており、セットされたアッセンブリ５からトリガー１２を引くことで止着ピン材１、１‥を順次送り機構でピッチごとに送り、カッターで切断部８を切断して、止着ピン材１を単体としてニードル１１内に送り、ピストンで短寸部分３の端面を押すことで（図中４中の矢印Ｐ方向）、二−ドル１１が突き刺された対象物内に横バー部３を送り込む。尚、スリット１０はこの打ち込みの際にファイバー部２を通過させるためのものである。
【００２０】
次いで、図６、図７を参照して止着ピン材１の被止着物１３を対象物となるゴムパッド等の基板１４への止着使用状態で説明する。被止着物１３は基板１４上へ載置され、その被止着物１３の上方から、装着ツール９のニードル１１が突き刺され、このニードルの先端は被止着物１３を貫通して基板１４内へ挿入される。
【００２１】
このニードル１１が突き刺され、トリガー１２が引かれると、ピストンが横バー部３及びファイバー部２をニードル１１内を通して重合した被止着物１３と基板１４内へ挿入される。この挿入にあって、横バー部３、特に長寸部分３ａは基板１４内を貫通せず基板１４内に止まるため、初期状態には復元することなくファイバー部２と略平行状態のまま、即ち、ニードル１１内にあった状態のまま保持されることとなる。これは横バー部３の一方を短寸部分３ｂとしたことで、横バー部３の変形性、復元性を制限したことによるニードル１１の挿し込みを途中までとして、このパドル状部４を被止着物１３から浮かせた状態とすることもできる。これはファイバー部２、横バー部３の長さと基板１４の厚味との関係で採択できる。
【００２２】
そして、止着ピン材１を対処物である基板１４から引き抜くには、パドル状部４を把持して、あるいは摘んで行われる。この引き抜き作業時に横バー部３、特に長寸部分３ａがファイバー部２と平行状態の直線状となっているため、基板１４内及び被止着物１３の組織に引っ掛かることがなく、内部を損傷することなくスムーズに引き抜くことができる。
【産業上の利用可能性】
【００２３】
本実施例に係る止着ピン材１は上記のように構成され、使用され、作用する。また、本発明に係る止着ピン材１は実施例のように、被止着物１３を基板１４に止着するような場合に限らず、魚、食肉ブロック、野菜、果物等の食用品をはじめ、ゴム、粘度等の弾性体、発泡材等の軟質材に対し、個体識別タグを装着すること等を目的として使用することができ、この場合は、そのタグが装着される物自体が対象物となり、止着ピン材１はその対象物内に挿入され沈埋されることとなる。
【符号の説明】
【００２４】
１    止着ピン材
２    ファイバー部
３    横バー部
３ａ  長寸部分
３ｂ  短寸部分
４    パドル状部
４ａ  括れ部
４ｂ  コア部
４ｃ  抑止部
４ｄ  突出部
５    アッセンブリ
６    ランナーバー
７    接続部
８    切断部
９    装着ツール
１０  スリット
１１  ニードル
１２  トリガー
１３  被止着物
１４  基板
【図１】
2015169685.tif 000003
【図２】
2015169685.tif 000004
【図３】
2015169685.tif 000005
【図４】
2015169685.tif 000006
【図５】
2015169685.tif 000007
【図６】
2015169685.tif 000008
【図７】
2015169685.tif 000009